(57)【特許請求の範囲】
【請求項１】
直流電源から供給される直流電力を負荷が必要とする電力に変換する電力変換部と、
前記電力変換部の出力電流を検出する出力電流検出部と、
前記直流電源の電源電圧を検出する電源電圧検出部と、
前記電源電圧検出部により検出された電圧値に基づいて前記電力変換部の出力電流指令値を求める際に、外部接続された抵抗の抵抗値に応じて設定される前記出力電流指令値の上限値を超えないように前記出力電流指令値を求める演算部と、
前記出力電流検出部により検出された前記電力変換部の出力電流が、前記演算部により求められた前記出力電流指令値になるように前記電力変換部を制御する制御部とを備え、
前記演算部は、前記抵抗値の調整範囲において設定された前記抵抗値に応じて前記出力電流指令値の上限値を設定するように構成されていることを特徴とする点灯装置。
【請求項２】
直流電源から供給される直流電力を負荷が必要とする電力に変換する電力変換部と、
前記電力変換部の出力電流を検出する出力電流検出部と、
周囲温度を検出する温度検出部と、
前記温度検出部により検出された周囲温度に基づいて前記電力変換部の出力電流指令値を求める際に、外部接続された抵抗の抵抗値に応じて設定される前記出力電流指令値の上限値を超えないように前記出力電流指令値を求める演算部と、
前記出力電流検出部により検出された前記電力変換部の出力電流が、前記演算部により求められた前記出力電流指令値になるように前記電力変換部を制御する制御部とを備え、
前記演算部は、前記抵抗値の調整範囲において設定された前記抵抗値に応じて前記出力電流指令値の上限値を設定するように構成されていることを特徴とする点灯装置。
【請求項３】
直流電源から供給される直流電力を負荷が必要とする電力に変換する電力変換部と、
前記電力変換部の出力電流を検出する出力電流検出部と、
前記電力変換部の出力電圧を検出する出力電圧検出部と、
前記出力電圧検出部により検出された前記電力変換部の出力電圧に基づいて前記電力変換部の出力電流指令値を求める際に、外部接続された抵抗の抵抗値に応じて設定される前記出力電流指令値の上限値を超えないように前記出力電流指令値を求める演算部と、
前記出力電流検出部により検出された前記電力変換部の出力電流が、前記演算部により求められた前記出力電流指令値になるように前記電力変換部を制御する制御部とを備え、
前記演算部は、前記抵抗値の調整範囲において設定された前記抵抗値に応じて前記出力電流指令値の上限値を設定するように構成されていることを特徴とする点灯装置。
【請求項４】
請求項１〜３の何れか１項に記載の点灯装置であって、前記負荷が車両用の前照灯であることを特徴とする前照灯点灯装置。
【請求項５】
請求項１〜３の何れか１項に記載の点灯装置、又は、請求項４記載の前照灯点灯装置が搭載されていることを特徴とする前照灯。
【請求項６】
請求項１〜３の何れか１項に記載の点灯装置、請求項４記載の前照灯点灯装置、又は、請求項５記載の前照灯が搭載されていることを特徴とする車両。
【発明の詳細な説明】
【技術分野】
【０００１】
本発明は、点灯装置、前照灯点灯装置及びそれを用いた前照灯並びに車両に関するものである。
【背景技術】
【０００２】
従来より、車載用のＬＥＤ前照灯点灯装置が提供されている（例えば特許文献１参照）。このＬＥＤ前照灯点灯装置は、ＬＯＷビームスイッチに連動して供給されるバッテリーからの直流電圧を、所望の電圧値の直流電圧に昇降圧させるＤＣ／ＤＣコンバータと、ＤＣ／ＤＣコンバータのスイッチング素子のオン／オフを制御する制御回路とを備える。またＬＥＤ前照灯点灯装置は、上記バッテリーの電源電圧を検出する電源検出回路と、ＬＥＤに流れる電流を検出する電流検出回路とを備える。制御回路は、ランプ電流指令値演算部と比較演算部とを有し、ランプ電流指令値演算部では、予め記憶部に記憶させたランプ電流指令値に対して電源電圧により制限を加えて、ランプ電流指令値として出力する。また比較演算部では、ランプ電流指令値演算部から出力されるランプ電流指令値と、電流検出回路により検出される出力電流値とを比較し、両者が一致するように出力電流指令値を演算出力する。つまり、このＬＥＤ前照灯点灯装置では、比較演算部から出力される出力電流指令値を制御することで定電流制御を実現している。
【０００３】
また、このＬＥＤ前照灯点灯装置では、上記バッテリーの電源電圧が低下し、例えば８Ｖを下回ると出力電流を低減し始め、その後は電源電圧の変化に応じて出力電流の低減を行い、電源電圧が８Ｖ以上になると、定格電流を保持する制御を行う。そして本制御により、低電源電圧時の回路ロス増加を低減し、点灯装置の破壊防止を実現している。
【先行技術文献】
【特許文献】
【０００４】
【特許文献１】特開２０１１−１１３６４２号公報（段落［００１６］−段落［００１８］、及び、第３０図−第３３図）
【発明の概要】
【発明が解決しようとする課題】
【０００５】
上述の特許文献１に示したＬＥＤ前照灯点灯装置では、複数のＬＥＤを直列接続したものを負荷としているが、各ＬＥＤ間には光束にばらつきがあり、その影響は各ＬＥＤに同じ順方向電流を流した際に顕著に現れる。一方、出力電流指令値は、例えば予め設けられたデータテーブルなどによって一意的に決定されるため、複数の点灯装置において同じ出力電流で定電流制御を行うようにしても、各点灯装置間や各ＬＥＤ間でＬＥＤの明るさは異なってくる。したがって、複数の点灯装置において各ＬＥＤの明るさを一定範囲に設定するためには、ＬＥＤの光束が一定範囲に収まっているものを選定する必要がある。しかしながらこの場合、部品メーカーでの選定作業が必要になるため、ＬＥＤの納入コストが高くなってしまい、また使用者が望む程度にまで細分化されるとは限らなかった。
【０００６】
そこで、上記問題を解消するために複数のデータテーブルを予め用意しておき、ＬＥＤの光束に応じてデータテーブルを選択するようにすれば、ＬＥＤの選別作業は不要になり、ＬＥＤの納入コストが高くなるのを抑えることができる。しかしながらこの場合、複数のデータテーブルを記憶させておくだけの容量を備えたメモリが必要であるため、その分コストアップになるものであった。
【０００７】
本発明は上記問題点に鑑みて為されたものであり、その目的とするところは、コストアップを抑えつつ、簡単な方法で出力電流の調整が可能な点灯装置、前照灯点灯装置及びそれを用いた前照灯並びに車両を提供することにある。
【課題を解決するための手段】
【０００８】
本発明の点灯装置は、直流電源から供給される直流電力を負荷が必要とする電力に変換する電力変換部と、電力変換部の出力電流を検出する出力電流検出部と、直流電源の電源電圧を検出する電源電圧検出部とを備える。また本点灯装置は、電源電圧検出部により検出された電圧値に基づいて電力変換部の出力電流指令値を求める際に、外部接続された抵抗の抵抗値に応じて設定される出力電流指令値の上限値を超えないように出力電流指令値を求める演算部と、出力電流検出部により検出された電力変換部の出力電流が、演算部により求められた出力電流指令値になるように電力変換部を制御する制御部とを備える。演算部は、抵抗値の調整範囲において設定された抵抗値に応じて出力電流指令値の上限値を設定するように構成されている。
【０００９】
本発明の点灯装置は、直流電源から供給される直流電力を負荷が必要とする電力に変換する電力変換部と、電力変換部の出力電流を検出する出力電流検出部と、周囲温度を検出する温度検出部とを備える。また本点灯装置は、温度検出部により検出された周囲温度に基づいて電力変換部の出力電流指令値を求める際に、外部接続された抵抗の抵抗値に応じて設定される出力電流指令値の上限値を超えないように出力電流指令値を求める演算部と、出力電流検出部により検出された電力変換部の出力電流が、演算部により求められた出力電流指令値になるように電力変換部を制御する制御部とを備える。演算部は、抵抗値の調整範囲において設定された抵抗値に応じて出力電流指令値の上限値を設定するように構成されている。
【００１０】
本発明の点灯装置は、直流電源から供給される直流電力を負荷が必要とする電力に変換する電力変換部と、電力変換部の出力電流を検出する出力電流検出部と、電力変換部の出力電圧を検出する出力電圧検出部とを備える。また本点灯装置は、出力電圧検出部により検出された電力変換部の出力電圧に基づいて電力変換部の出力電流指令値を求める際に、外部接続された抵抗の抵抗値に応じて設定される出力電流指令値の上限値を超えないように出力電流指令値を求める演算部と、出力電流検出部により検出された電力変換部の出力電流が、演算部により求められた出力電流指令値になるように電力変換部を制御する制御部とを備える。演算部は、抵抗値の調整範囲において設定された抵抗値に応じて出力電流指令値の上限値を設定するように構成されている。
【００１１】
本発明の前照灯点灯装置は、上記何れかの点灯装置であって、負荷が車両用の前照灯である。
【００１２】
本発明の前照灯は、上記何れかの点灯装置、又は、上記前照灯点灯装置が搭載されている。
【００１３】
本発明の車両は、上記何れかの点灯装置、上記前照灯点灯装置、又は、上記前照灯が搭載されている。
【発明の効果】
【００１４】
コストアップを抑えつつ、簡単な方法で出力電流の調整が可能な点灯装置、前照灯点灯装置及びそれを用いた前照灯並びに車両を提供することができるという効果がある。
【図面の簡単な説明】
【００１５】
【図１】実施形態１の前照灯点灯装置の一例を示し、（ａ）は概略回路図、（ｂ）はその一部回路図である。
【図２】（ａ）〜（ｃ）は同上の動作を説明するためのグラフである。
【図３】同上の動作を説明するためのフローチャートである。
【図４】同上の他の例を示す概略回路図である。
【図５】同上の他の例の動作を説明するためのグラフである。
【図６】実施形態２の前照灯点灯装置の一例を示す概略回路図である。
【図７】（ａ）〜（ｃ）は同上の動作を説明するためのグラフである。
【図８】実施形態３の前照灯点灯装置の一例を示す概略回路図である。
【図９】（ａ）〜（ｄ）は同上の動作を説明するためのグラフである。
【図１０】実施形態４の車両の一部省略せる外観図である。
【発明を実施するための形態】
【００１６】
以下に、前照灯点灯装置及びそれを用いた前照灯並びに車両の実施形態を図面に基づいて説明する。なお以下の説明では、点灯装置として前照灯点灯装置を例に説明するが、点灯装置は前照灯点灯装置に限定されるものではなく、負荷に対して電力を供給するものであれば他のものでもよい。
【００１７】
（実施形態１）
図１（ａ）は本実施形態の前照灯点灯装置２の一例を示す概略回路図である。この前照灯点灯装置２は、ＤＣ／ＤＣコンバータ２１と、演算回路２２と、出力電流検出回路２３と、電源電圧検出回路２４と、制御電源回路２５と、コンパレータ２６と、フリップフロップ２７とを主要な構成として備える。
【００１８】
ＤＣ／ＤＣコンバータ（電力変換部）２１は、トランスＴ１と、トランスＴ１の１次側に接続されたスイッチング素子Ｑ１と、トランスＴ１の２次側に接続されたダイオードＤ１と、トランスＴ１の１次側に流れる電流を検出する１次側電流検出回路２１１とで構成される。このＤＣ／ＤＣコンバータ２１は、ＬＯＷビームスイッチ（図示せず）に連動してバッテリー（直流電源）１から供給される直流電力を、前照灯（負荷）３が必要とする直流電力に変換する機能を有する。また、１次側電流検出回路２１１により検出された１次側電流Ｉ４はコンパレータ２６に入力され、コンパレータ２６では演算回路２２からの出力電流指令値Ｉ３と上記１次側電流Ｉ４の大小関係に応じてフリップフロップ２７にリセット信号を出力する。なお、ＤＣ／ＤＣコンバータ２１の出力端間には、平滑用のコンデンサＣ１が接続されている。ここに、スイッチング素子Ｑ１がＦＥＴである場合には、そのオン抵抗は略オーミック抵抗となるので、オペアンプ等で構成される１次側電流検出回路２１１によりドレイン電圧を増幅することで１次側電流Ｉ４を検出することができる。
【００１９】
出力電流検出回路（出力電流検出部）２３は、前照灯３を構成する複数（図１（ａ）では３個）のＬＥＤ３１に流れる電流（ＤＣ／ＤＣコンバータ２１の出力電流）Ｉ１を抵抗Ｒ２により検出し、検出した出力電流Ｉ１を演算回路２２に出力する。
【００２０】
電源電圧検出回路（電源電圧検出部）２４は、バッテリー１の電源電圧（出力電圧）を検出し、検出した電源電圧を演算回路２２に出力する。
【００２１】
制御電源回路２５は、バッテリー１より供給される直流電力から演算回路２２、コンパレータ２６及びフリップフロップ２７の動作電源を生成する。
【００２２】
コンパレータ２６には、ＤＣ／ＤＣコンバータ２１の１次側電流検出回路２１１により検出された１次側電流Ｉ４と、演算回路２２からの出力電流指令値Ｉ３とが入力され、コンパレータ２６は、これらの大小関係に応じてフリップフロップ２７にリセット信号を出力する。具体的には、コンパレータ２６は、１次側電流Ｉ４が出力電流指令値Ｉ３よりも小さい間はリセット信号を出力せず、１次側電流Ｉ４が出力電流指令値Ｉ３に達するとリセット信号を出力し、フリップフロップ２７をリセットする。
【００２３】
フリップフロップ２７は、ＤＣ／ＤＣコンバータ２１のスイッチング素子Ｑ１のドライブ回路として機能し、高周波のＯＮ信号ＨＦによりフリップフロップ２７がセットされるとスイッチング素子Ｑ１がオンになる。スイッチング素子Ｑ１がオンになると、トランスＴ１の１次巻線に１次側電流Ｉ４が流れ、トランスＴ１にエネルギーが蓄積される。その後、トランスＴ１の１次巻線に流れる１次側電流Ｉ４が出力電流指令値Ｉ３に達すると、コンパレータ２６からリセット信号が出力され、フリップフロップ２７がリセットされてスイッチング素子Ｑ１がオフになる。スイッチング素子Ｑ１がオフになると、トランスＴ１に蓄積されたエネルギーによる逆起電力が２次巻線に発生し、ダイオードＤ１を介してコンデンサＣ１に充電される。ここに本実施形態では、コンパレータ２６とフリップフロップ２７とで制御部が構成されている。
【００２４】
演算回路（演算部）２２は、例えばマイクロコンピュータからなり、主演算部２２１と、比較部２２２と、リミット値選択部２２３と、記憶部２２４とを主要な構成として備えており、記憶部２２４には後述する変換テーブルやリミット値Ａ〜Ｃが予め記憶されている。
【００２５】
主演算部２２１には、リミット値選択部２２３から出力される電圧信号が入力され、主演算部２２１は、上記電圧信号に応じてリミット値Ａ〜Ｃの何れかを記憶部２２４から読み出す。また主演算部２２１には、電源電圧検出回路２４により検出されたバッテリー１の電源電圧が入力され、主演算部２２１は、この電源電圧に応じた出力電流指令値を、上記変換テーブルに基づいて記憶部２２４から読み出す。そして、主演算部２２１は、これらのリミット値Ａ〜Ｃ及び出力電流指令値に基づいて出力電流指令値Ｉ２を求める。なお、具体的な動作については後述する。
【００２６】
図１（ｂ）はリミット値選択部２２３の一例を示す回路図であり、制御電源回路２５の出力部に接続された抵抗Ｒ３を有し、外部接続された抵抗Ｒ１と抵抗Ｒ３の接続点の電圧（分圧）が上記電圧信号として主演算部２２１に入力される。例えば、制御電源回路２５の出力電圧が５Ｖ、抵抗Ｒ３の抵抗値が１０ｋΩである場合、抵抗値が１０ｋΩの抵抗Ｒ１を接続するとリミット値選択部２２３から出力される電圧信号は２．５Ｖとなる。また抵抗Ｒ１が接続される端子間を短絡すると（つまり抵抗値０）、リミット値選択部２２３から出力される電圧信号は０Ｖとなり、さらに抵抗Ｒ１が接続される端子間を開放すると（つまり抵抗値∞）、リミット値選択部２２３から出力される電圧信号は５Ｖとなる。そして、主演算部２２１では、リミット値選択部２２３から入力される電圧信号が０Ｖならリミット値Ａを、２．５Ｖならリミット値Ｂを、５Ｖならリミット値Ｃをそれぞれ記憶部２２４から読み出す。
【００２７】
ここで、前照灯３を構成するＬＥＤ３１の定格電流が０．７Ａであり、リミット値Ａ〜Ｃとしてそれぞれ０．７Ａ、０．６９Ａ、０．６８Ａが設定されているとする。例えば、光束が高いランクのＬＥＤ３１を前照灯点灯装置２に接続する場合には、出力電流を低く抑えるために抵抗Ｒ１が接続される端子間を開放し、その結果、主演算部２２１はリミット値Ｃを記憶部２２４から読み出す。また、光束が低いランクのＬＥＤ３１を前照灯点灯装置２に接続する場合には、出力電流を高くするために抵抗Ｒ１が接続される端子間を短絡し、その結果、主演算部２２１はリミット値Ａを記憶部２２４から読み出す。さらに、光束が中間のランクのＬＥＤ３１を前照灯点灯装置２に接続する場合には、抵抗値が１０ｋΩの抵抗Ｒ１を接続し、その結果、主演算部２２１はリミット値Ｂを記憶部２２４から読み出す。このように使用するＬＥＤ３１のランクに応じてリミット値Ａ〜Ｃの何れかを選択することで、ＬＥＤ３１のランクに関わらず各ＬＥＤ３１の光束を所定の範囲に設定することができる。
【００２８】
比較部２２２には、主演算部２２１からの出力電流指令値Ｉ２が入力されるとともに、出力電流検出回路２３により検出された出力電流Ｉ１が入力され、比較部２２２は、これらの値が等しくなるように出力電流指令値Ｉ３を変更し、コンパレータ２６に出力する。
【００２９】
ここで、図２（ａ）は記憶部２２４に記憶させた変換テーブルの一例を示すグラフであり、図中の実線ｂに示すようにバッテリー１の電源電圧に応じて出力電流指令値が設定される。また本実施形態では、外部接続された抵抗Ｒ１の抵抗値に応じてリミット値Ａ〜Ｃの何れかが選択されるが、図２（ｂ）中の実線ｃがそのリミット値を示している（図２（ｂ）はリミット値が０．６８Ａの場合）。そして、主演算部２２１は、変換テーブルに基づいて記憶部２２４から読み出した出力電流指令値と選択したリミット値とを比較し、小さい方を出力電流指令値Ｉ２として比較部２２２に出力する（図２（ｃ）中の実線ｄ参照）。
【００３０】
ここに本実施形態では、上記の回路構成によりＤＣ／ＤＣコンバータ２１のスイッチング素子Ｑ１のオン時間をＰＷＭ制御することで、ＬＥＤ３１の定電流制御を実現している。
【００３１】
次に、前照灯点灯装置２の動作を図３に示すフローチャートに基づいて説明する。制御電源回路２５から演算回路２２に動作電源が供給されると、演算回路２２はリセットが解除されて動作を開始することになるが（ステップＳ１）、まず最初にプログラムの各種初期化処理を行う（ステップＳ２）。続けて、演算回路２２はＬＯＷビームスイッチ（図示せず）がＯＮかどうかを判断し（ステップＳ３）、ＯＮでないと判断した場合にはステップＳ４には移行しない（ステップＳ３のＮｏ）。またＬＯＷビームスイッチがＯＮであると判断した場合には（ステップＳ３のＹｅｓ）、演算回路２２は電源電圧検出回路２４により検出されたバッテリー１の電源電圧をＡ／Ｄ変換して読み込み、主演算部２２１に入力する（ステップＳ４）。なおこのとき主演算部２２１は、リミット値選択部２２３から入力される電圧信号に応じてリミット値Ａ〜Ｃの何れかを記憶部２２４から読み出す。
【００３２】
さらに主演算部２２１は、記憶部２２４に記憶してある変換テーブルに基づいて、入力されたバッテリー１の電源電圧に対応する出力電流指令値を求めた後（ステップＳ５）、この出力電流指令値と選択したリミット値とを比較し、小さい方を出力電流指令値Ｉ２として比較部２２２に出力する（ステップＳ６）。また演算回路２２は、出力電流検出回路２３により検出された出力電流Ｉ１をＡ／Ｄ変換して読み込み、比較部２２２に入力する（ステップＳ７）。比較部２２２は、主演算部２２１からの出力電流指令値Ｉ２と出力電流Ｉ１とを比較し（ステップＳ８）、これらの値が等しくなるように出力電流指令値Ｉ３を変更してコンパレータ２６に出力する（ステップＳ９）。その後、１次側電流Ｉ４と出力電流指令値Ｉ３に基づいて、コンパレータ２６及びフリップフロップ２７によりＤＣ／ＤＣコンバータ２１のスイッチング素子Ｑ１のオン／オフ制御を行うことで、定電流制御が実行される（ステップＳ１０）。
【００３３】
図４は本実施形態の前照灯点灯装置２の他の例を示す概略回路図であり、リミット値Ａ〜Ｃの代わりにリミット値演算部２２５を設けている点で図１（ａ）と異なっている。なお、それ以外の構成は図１（ａ）と同様であり、同一の構成要素には同一の符号を付して説明を省略する。また変換テーブルについては、図１（ａ）と同様に記憶部２２４に予め記憶させてある。
【００３４】
演算回路２２はリミット値演算部２２５を有し、このリミット値演算部２２５には抵抗Ｒ１の抵抗値に応じた電圧信号がリミット値選択部２２３より入力され、この電圧信号に応じたリミット値を主演算部２２１に出力する。図５は抵抗Ｒ１の抵抗値とリミット値の関係を示すグラフであり、リミット値演算部２２５はこのグラフに従ってリミット値を設定する。具体的には、図５中の実線ｅに示すように、抵抗Ｒ１が接続される端子間を短絡させた状態（つまり抵抗値０）から抵抗Ｒ１の抵抗値が１０ｋΩよりも大きい所定値まではリミット値が０．６８Ａから０．７Ａまで比例的に増加していき、抵抗Ｒ１の抵抗値が所定値以上ではリミット値が０．７Ａで一定となる。
【００３５】
而して、バッテリー１の電源電圧に応じてＤＣ／ＤＣコンバータ２１の出力電流Ｉ１を制限する前照灯点灯装置２において、ＬＥＤ３１の光束や個数の違いに応じて出力電流Ｉ１を調整する際には抵抗Ｒ１を交換するだけでいいので、コストアップを抑えつつ、簡単な方法で出力電流Ｉ１を調整することができる。また、各前照灯点灯装置２毎にＤＣ／ＤＣコンバータ２１の出力電流Ｉ１を調整することで、前照灯点灯装置２間の光出力のばらつきを低減することができ、特に図５に示すように抵抗Ｒ１の抵抗値に応じてリミット値を連続的に変化させた場合には、光出力のばらつきをより一層低減することができる。
【００３６】
なお、本実施形態で説明したリミット値の設定方法は一例であり、例えば部品メーカーから納入されたＬＥＤ３１が光束に応じて予めランク分けされている場合には、ランクの数に応じてリミット値を用意しておき、使用されるＬＥＤ３１のランクに応じてリミット値を選択するようにすればよい。また、リミット値演算部２２５における抵抗Ｒ１の抵抗値とリミット値の関係を示す図５は一例であり、例えば抵抗Ｒ１の抵抗値とリミット値を対応させたデータテーブルを用いてもよいが、より細かくリミット値を設定できる点で前者の方が望ましい。さらに、図５に示すような直線的な特性に限定されるものではなく、曲線的な特性であってもよい。
【００３７】
また本実施形態では、ＤＣ／ＤＣコンバータ２１の出力電流の値を低減したが、ＰＷＭ調光により平均電流を低減させてもよく、同様にコストアップを抑えつつ、簡単な方法で出力電流を調整することができる。この場合、例えば周波数１００ＨｚでＬＥＤ３１を点灯させ、そのＤＵＴＹを通常の電源電圧時には１００％とし、低電源電圧時には毎分２％の割合で低減させればよい。さらに、ＬＥＤ３１と抵抗Ｒ１は同じパッケージに含まれていてもよく、この場合、抵抗Ｒ１の抵抗値は同一のパッケージに含まれるＬＥＤ３１の光束のランクに応じて決定される。また、本実施形態において説明したグラフやグラフ中の電源電圧及び出力電流指令値は一例であって、これらに限定されるものではない。
【００３８】
さらに本実施形態では、抵抗Ｒ１の抵抗値が０、１０ｋΩ、∞の３種類の場合を例に説明したが、抵抗Ｒ１の抵抗値は本実施形態に限定されるものではなく、リミット値の数に応じて選択できるようになっていればよい。また本実施形態では、電力変換部としてＤＣ／ＤＣコンバータ２１を用いているが、例えばチョッパ回路などであってもよく、本実施形態に限定されない。
【００３９】
（実施形態２）
前照灯点灯装置２の実施形態２を図６及び図７に基づいて説明する。実施形態１ではバッテリー１の電源電圧に基づいてＤＣ／ＤＣコンバータ２１の出力電流指令値を求めているが、本実施形態では温度検出回路２８で検出される周囲温度に基づいて上記出力電流指令値を求めている。なお、それ以外の構成は実施形態１の図１（ａ）と同様であり、同一の構成要素には同一の符号を付して説明を省略する。
【００４０】
本実施形態の前照灯点灯装置２は、ＤＣ／ＤＣコンバータ２１と、演算回路２２と、出力電流検出回路２３と、制御電源回路２５と、コンパレータ２６と、フリップフロップ２７と、周囲温度を検出する温度検出回路２８とを主要な構成として備える。
【００４１】
温度検出回路（温度検出部）２８で検出された周囲温度は演算回路２２の主演算部２２１に入力され、主演算部２２１では、検出された周囲温度に基づいてＤＣ／ＤＣコンバータ２１の出力電流指令値Ｉ２を求める。
【００４２】
ここで、図７（ａ）は記憶部２２４に記憶させた変換テーブルの一例を示すグラフであり、図中の実線ｆに示すように周囲温度に応じて出力電流指令値が設定される。また本実施形態では、外部接続された抵抗Ｒ１の抵抗値に応じてリミット値Ａ〜Ｃの何れかが選択されるが、図７（ｂ）中の実線ｇがそのリミット値を示している（図７（ｂ）はリミット値が０．６８Ａの場合）。そして、主演算部２２１は、変換テーブルに基づいて記憶部２２４から読み出した出力電流指令値と選択したリミット値とを比較し、小さい方を出力電流指令値Ｉ２として比較部２２２に出力する（図７（ｃ）中の実線ｈ参照）。なお、動作については実施形態１と同様であるから、ここでは省略する。
【００４３】
而して、周囲温度に応じてＤＣ／ＤＣコンバータ２１の出力電流Ｉ１を制限する前照灯点灯装置２において、ＬＥＤ３１の光束や個数の違いに応じて出力電流Ｉ１を調整する際には抵抗Ｒ１を交換するだけでいいので、コストアップを抑えつつ、簡単な方法で出力電流Ｉ１を調整することができる。また、各前照灯点灯装置２毎にＤＣ／ＤＣコンバータ２１の出力電流Ｉ１を調整することで、前照灯点灯装置２間の光出力のばらつきを低減することができる。
【００４４】
なお本実施形態においても、記憶部２２４に記憶させたリミット値Ａ〜Ｃの代わりにリミット値演算部を設けてもよく、同様にコストアップを抑えつつ、簡単な方法で出力電流Ｉ１を調整することができる。
【００４５】
（実施形態３）
前照灯点灯装置２の実施形態３を図８及び図９に基づいて説明する。実施形態１ではバッテリー１の電源電圧に基づいてＤＣ／ＤＣコンバータ２１の出力電流指令値を求めているが、本実施形態ではＤＣ／ＤＣコンバータ２１の出力電圧に基づいて上記出力電流指令値を求めている。なお、それ以外の構成は実施形態１の図１（ａ）と同様であり、同一の構成要素には同一の符号を付して説明を省略する。
【００４６】
本実施形態の前照灯点灯装置２は、ＤＣ／ＤＣコンバータ２１と、演算回路２２と、出力電流検出回路２３と、制御電源回路２５と、コンパレータ２６と、フリップフロップ２７と、ＤＣ／ＤＣコンバータ２１の出力電圧を検出する出力電圧検出回路２９とを主要な構成として備える。
【００４７】
出力電圧検出回路（出力電圧検出部）２９で検出されたＤＣ／ＤＣコンバータ２１の出力電圧は演算回路２２の主演算部２２１に入力され、主演算部２２１では、検出された出力電圧に基づいてＤＣ／ＤＣコンバータ２１の出力電流指令値Ｉ２を求める。なお本実施形態では、ＤＣ／ＤＣコンバータ２１の出力端間に接続された抵抗Ｒ４，Ｒ５の接続点の電圧（分圧）が上記出力電圧として検出される。
【００４８】
ここで、図９（ａ）は記憶部２２４に記憶させた変換テーブルの一例を示すグラフであり、図中の実線ｊに示すようにＤＣ／ＤＣコンバータ２１の出力電圧の変化幅に応じて出力電流指令値の低減幅が設定される。また本実施形態では、外部接続された抵抗Ｒ１の抵抗値に応じてリミット値Ａ〜Ｃの何れかが選択されるが、図９（ｂ）中の実線ｋがそのリミット値を示している（図９（ｂ）はリミット値が０．０２Ａの場合）。そして、主演算部２２１は、変換テーブルに基づいて記憶部２２４から読み出した出力電流指令値の低減幅と選択したリミット値とを比較し、大きい方を出力電流指令値の低減幅として選択する（図９（ｃ）中の実線ｍ参照）。その結果、主演算部２２１は、図９（ｄ）中の実線ｎに従って出力電流指令値Ｉ２を求める。なお、動作については実施形態１と同様であるから、ここでは省略する。
【００４９】
而して、ＤＣ／ＤＣコンバータ２１の出力電圧に応じてＤＣ／ＤＣコンバータ２１の出力電流Ｉ１を制限する前照灯点灯装置２において、ＬＥＤ３１の光束や個数の違いに応じて出力電流Ｉ１を調整する際には抵抗Ｒ１を交換するだけでいいので、コストアップを抑えつつ、簡単な方法で出力電流Ｉ１を調整することができる。また、各前照灯点灯装置２毎にＤＣ／ＤＣコンバータ２１の出力電流Ｉ１を調整することで、前照灯点灯装置２間の光出力のばらつきを低減することができる。
【００５０】
なお本実施形態においても、記憶部２２４に記憶させたリミット値Ａ〜Ｃの代わりにリミット値演算部を設けてもよく、同様にコストアップを抑えつつ、簡単な方法で出力電流Ｉ１を調整することができる。
【００５１】
（実施形態４）
上述の実施形態１〜３で説明した前照灯点灯装置２を用いた前照灯及び車両の実施形態を図１０に基づいて説明する。
【００５２】
図１０は本実施形態の車両Ａの一部省略せる外観図であり、この車両Ａは、車体の幅方向両側に配置された一対の前照灯３，３と、各前照灯３，３それぞれに所定の点灯電力を供給する一対の前照灯点灯装置２，２とを備える。
【００５３】
ここで本実施形態では、上述の実施形態１〜３で説明した前照灯点灯装置２を用いており、例えば左右の前照灯３，３を構成するＬＥＤ３１の光束に差がある場合でも、外部接続される抵抗Ｒ１の抵抗値を調整することによって、両前照灯３，３の光出力を所定の範囲に設定することができる。つまり本実施形態によれば、上述の実施形態１〜３で説明した前照灯点灯装置２を用いることによって、コストアップを抑えつつ、ＤＣ／ＤＣコンバータ２１の出力電流を簡単な方法で調整可能な前照灯３及び車両Ａを提供することができる。また実施形態２の前照灯点灯装置２を用いた場合には、温度上昇に伴う回路破壊を防止でき、前照灯３，３を安定的に点灯可能な車両Ａを実現することができる。
【符号の説明】
【００５４】
１  バッテリー（直流電源）
２  前照灯点灯装置
２１  ＤＣ／ＤＣコンバータ（電力変換部）
２２  演算回路（演算部）
２３  出力電流検出回路（出力電流検出部）
２４  電源電圧検出回路（電源電圧検出部）
２６  コンパレータ（制御部）
２７  フリップフロップ（制御部）
Ｒ１  抵抗
【図１】
0005971578.tif 000002
【図２】
0005971578.tif 000003
【図３】
0005971578.tif 000004
【図４】
0005971578.tif 000005
【図５】
0005971578.tif 000006
【図６】
0005971578.tif 000007
【図７】
0005971578.tif 000008
【図８】
0005971578.tif 000009
【図９】
0005971578.tif 000010
【図１０】
0005971578.tif 000011